(57)【要約】【課題】一度開封したらキャップを容器に再装着しても開封したことが明確に認知でき、分別廃棄がし易い、不正開封防止機能付きキャップを提供すること。【解決手段】注出口本体（２０）の筒状部（２１）に螺着されるスクリュー式のキャップであって、キャップ本体（１１）と該キャップ本体の下部に易分離可能な連結部（１３）により接続される不正開封防止リング（１２）からなり、不正開封防止リングには不正開封防止リングを手でキャップ本体と分離させるための保持部（１４）が設けられている。保持部は穴、又はつまみ形状からなる。【選択図】図１
2006001555.tif 000002
【特許請求の範囲】
【請求項１】
注出口本体の筒状部に螺着されるスクリュー式のキャップであって、
前記キャップは、キャップ本体と該キャップ本体の下部に易分離可能な連結部により接続される不正開封防止リングとからなり、
前記不正開封防止リングの側面に、該不正開封防止リングをキャップ本体と分離させるための保持部が設けられていることを特徴とする、不正開封防止機能付きキャップ。
【請求項２】
前記保持部が、穴、又はつまみ形状からなることを特徴とする、請求項１記載の不正開封防止機能付きキャップ。
【請求項３】
前記保持部が、２か所以上形成されていることを特徴とする、請求項１又は２記載の不正開封防止機能付きキャップ。
【請求項４】
前記保持部を含めてキャップ外形が、キャップ天面外周径よりはみ出していないことを特徴とする、請求項１、２又は３記載の不正開封防止機能付きキャップ。
【請求項５】
前記保持部が、四方から見て視認可能な位置に形成されていることを特徴とする、請求項１、２、３又は４記載の不正開封防止機能付きキャップ。
【発明の詳細な説明】
【技術分野】
【０００１】
本発明は、プラスチックボトル、ガラスびんや紙製容器などに使用されるスクリュー式のプラスチックキャップに関するものであり、特には、一度開封すると開封したことが明確に認知しうる不正開封防止機能付きキャップに関する。
なかでも、注出口孔を形成した紙製容器に取り付ける不正開封防止機能付きキャップに関する。
【背景技術】
【０００２】
市場の店頭などにおける商品の不正開封防止のために、特殊な構造を持つプラスチック製のキャップについて多くの発明や考案がなされており、各種のキャップが商品に使用されてきた（例えば、特許文献１、特許文献２、特許文献３参照）。
【０００３】
上記先行技術文献を示す。  
【特許文献１】特開昭６３−１３８９６２号公報
【特許文献２】実開平３−３５６１号公報
【特許文献３】特開平１１−４３１６８号公報。
【０００４】
しかし、特許文献１、特許文献２、特許文献３の発明は、キャップの一部分を手で分離させ、その後開栓させる方法である。これらの方法はすべて分離部分がキャップ本体より突出していること．加えて一か所のみであることから、液体紙製容器用のキャップに転用することは不可能である。
【発明の開示】
【発明が解決しようとする課題】
【０００５】
本発明は、不正開封防止機能付きキャップ、特に液体紙製容器用の不正開封防止機能付きキャップに関する以上のような問題に鑑みてなされたもので、一度開封したらキャップを容器に再装着しても明確に開封したことが認知でき、容器の使用後の分別廃棄がし易い、不正開封防止機能付きキャップを提供することを課題とする。
【課題を解決するための手段】
【０００６】
本発明の請求項１の発明は、注出口本体の筒状部に螺着されるスクリュー式のキャップであって、前記キャップは、キャップ本体と該キャップ本体の下部に易分離可能な連結部により接続される不正開封防止リングとからなり、前記不正開封防止リングの側面に、該不正開封防止リングをキャップ本体と分離させるための保持部が設けられていることを特徴とする、不正開封防止機能付きキャップである。
【０００７】
このように請求項１記載の発明によれば、キャップは、キャップ本体と該キャップ本体の下部に易分離可能な連結部により接続される不正開封防止リングとからなり、前記不正開封防止リングの側面に、該不正開封防止リングをキャップ本体と分離させるための保持部が設けられた構造からなるので、不正開封防止リングの側面にある保持部を持ってリングを開けようとすると、リングとキャップ本体は易分離可能な連結部から容易に分離され、容器は開封される。また、該リングはキャップから分離して二つあるいはそれ以上に分断されてしまい、キャップを被せても再封止したことは一目瞭然で分かり、一度開封してしまうと未開封状態に戻すことはできない。
【０００８】
また、請求項２の発明は、請求項１の発明において、前記保持部が、穴又はつまみ形状からなることを特徴とする、不正開封防止機能付きキャップである。
【０００９】
このように請求項２記載の発明によれば、保持部が穴又はつまみ形状からなるので、容易に保持部を持つことができ、不正開封防止リングをキャップから切り離すことができる。
【００１０】
また、請求項３の発明は、請求項１又は２の発明において、前記保持部が、２か所以上形成されていることを特徴とする、不正開封防止機能付きキャップである。
【００１１】
このように請求項３記載の発明によれば、不正開封防止リングには保持部が２か所以上形成されているので、キャップをどの方向から容器に溶着しても容易に不正開封防止リングを開封することができる。                        
【００１２】
また、請求項４の発明は、請求項１、２又は３の発明において、前記保持部を含めてキャップ外形が、キャップ天面外周径よりはみ出していないことを特徴とする、不正開封防止機能付きキャップである。
【００１３】
このように請求項４記載の発明によれば、保持部を含めてキャップ外形が、キャップ天面外周径よりはみ出していないので、容器が、例えば、キャップ取り付け孔が穿設された液体紙製容器であっても、本発明の不正開封防止機能付きキャップを内側からキャップ取り付け孔に挿入して溶着することができ、液体紙製容器にも転用できる。
【００１４】
また、請求項５の発明は、請求項１、２、３又は４の発明において、前記保持部が四方から見て視認可能な位置に形成されていることを特徴とする、不正開封防止機能付きキャップである。
【００１５】
このように請求項５記載の発明によれば、保持部が四方から見て視認可能な位置に形成されているので、キャップが紙製容器にどのような向きに取り付けられていても、明確に、かつ、容易に開封の有無が視認できる。
【発明の効果】
【００１６】
このように本発明の不正開封防止機能付きキャップには以下に述べるような効果がある。
すなわち、キャップ本体とのセットが簡単である．開栓トルクが低減され開け易いキャップである．開封済の有無が目視で明確にできる．開封後未開封状態に戻すことが困難である．使用後の分別回収や紙製容器の分解が容易である。
【発明を実施するための最良の形態】
【００１７】
本発明を一実施形態に基づいて以下に詳細に説明する。
本発明の不正開封防止機能付きキャップの第１の実施例は、例えば、図１、図２に示すように、注出口本体（２０）の筒状部（２１）の外周に形成した雄螺子（２３）に着脱自在に螺合される雌螺子（図示せず）を内周に形成させたスクリュー式のキャップで、このキャップ（１０）は、キャップ本体（１１）と該キャップ本体の下部に易分離可能な連結部（１３）により接続される不正開封防止リング（１２）とからなる。そして、通常は、筒状部（２１）の下端より外方に延びるフランジ（２５）が形成されている。
【００１８】
キャップ本体（１１）や不正開封防止リング（１２）は、通常では、ポリプロピレン樹脂などの剛性を有する熱可塑性樹脂を射出成形して作製するものである。剛性を有する熱
可塑性樹脂を使用することにより、比較的安価で、性能の良い不正開封防止機能付きキャップを作製することができる。
【００１９】
不正開封防止リング（１２）には、該不正開封防止リング（１２）を手などでキャップ本体（１１）と分離させるための保持部（１４）が設けられている。
不正開封防止リング（１２）は、筒状部（２１）の下側外周囲を覆うようにキャップ本体と同一外径に形成されている。
【００２０】
そして不正開封防止リング（１２）には、一定間隔をおいて２か所以上の保持部となる穴（１４）が形成さている。穴（１４）はリングの略中央部分に形成され、その上下には易分離可能な、例えば、ハーフカット線（ａ）が設けられ、穴（１４）に指等を入れてリングを引っ張るなどすると、リング（１２）はハーフカット線（ａ）に沿って破れてリングを左右に分断することができる。
【００２１】
リング（１２）の任意の部分にはリングを折り曲げ可能とする垂直方向のハーフカット線（ｂ）が設けられており、リングを折り曲げることができる。
【００２２】
キャップ本体（１１）と不正開封防止リング（１２）を接続する連結部（１３）は、例えば、全周に薄肉部を設ける、ハーフカット構造とする等により形成することができる。
【００２３】
本発明の不正開封防止機能付きキャップ（１０）は、以上のような構造からなるものであるが、つぎにその開栓、閉栓の仕組みを説明する。
【００２４】
注出口本体（２０）に螺着された不正開封防止機能付きキャップ（１０）を開栓する場合は、先ず、保持部（１４）である穴に指等を入れて左右にこじ開ける。穴（１４）はハーフカット線（ａ）に沿って破れ、同時に連結部（１３）も破れて不正開封防止リング（１２）は注出口本体の筒状部（２１）から離れる。ついで、不正開封防止リング（１２）の剥がれたキャップ本体（１１）を雄螺子、雌螺子に沿って回転させると、キャップ本体（１１）は注出口本体（２０）から離れて開栓する。
【００２５】
内容物を注出後、閉栓すべくキャップ本体と注出口本体（２０）とを雄螺子と雌螺子を合わせて螺合させる。不正開封防止リング（１２）はすでに２つ以上のパーツに分割されてキャップ本体から離脱しているため、未開封の状態に戻すことはできず、開栓したことが一目でわかる。
【００２６】
図３、図４は、本発明の不正開封防止機能付きキャップの第２の実施例を示す、斜視説明図である。
【００２７】
図３において、１４は穴で、不正開封防止リング（１２）の略中央に周方向に馬蹄形状に周縁部分（１７）を除いて形成されている。突出部分はつまみ部（１５）を形成している。周縁部分（１７）は全周にわたり内周面に突出する凸条（１８）が形成され、この凸条（１８）は、注出口本体（２０）の筒状部（２１）の基部に形成された筒状部凸条（２４）に係合する役割を担っている。キャップ本体の内周面に雌螺子は形成されていない。
【００２８】
それ以外の構造は第１の実施例と同様であるので省略する。穴（１４）が２か所以上形成されていることはいうまでもないし、また、不正開封防止リング（１２）やそれに設けられたつまみ部（１５）もキャップ天面外周径よりはみ出していないことはいうまでもない。
【００２９】
つぎにその閉栓、開栓の仕組みを説明する。
【００３０】
キャップ（１０）を打栓すると、キャップ本体の不正開封防止リング（１２）の内周面に形成された凸条（１８）が注出口本体（２０）の筒状部（２１）の外周面に形成された筒状部凸条（２４）と係合して固定され閉栓する。
【００３１】
開栓は、保持部のつまみ部（１５）を手で持って引っ張るように不正開封防止リング（１２）を注出口本体の筒状部（２１）から離してキャップ本体（１１）から分離させると、キャップ本体（１１）は注出口本体（２０）より外れる。
【００３２】
再封はキャップ本体（１１）を筒状部（２１）の雄螺子（２３）に螺着させることで可能になる。不正開封防止バンド（１２）はキャップ本体（１１）から分離しているので、再封したことが一目瞭然でわかる。
【図面の簡単な説明】
【００３３】
【図１】本発明の不正開封防止機能付きキャップが注出口本体に螺合されている状態の一実施例を示す、斜視説明図である。
【図２】本発明の不正開封防止機能付きキャップを構成するキャップ本体と不正開封防止リング並びに不正開封防止キャップと螺合する注出口本体、それぞれの一実施例を示す、斜視説明図である。
【図３】本発明の不正開封防止機能付きキャップが注出口本体に螺合されている状態の別の実施例を示す、斜視説明図である。
【図４】図３の不正開封防止機能付きキャップを構成するキャップ本体と不正開封防  止リング並びに不正開封防止キャップと螺合する注出口本体を示す、斜視説明図である。
【符号の説明】
【００３４】
１０‥‥キャップ
１１‥‥キャップ本体
１２‥‥不正開封防止リング
１３‥‥連結部
１４‥‥保持部、穴
１５‥‥つまみ部
１７‥‥周縁部分
１８‥‥凸条
２０‥‥注出口本体
２１‥‥筒状部
２３‥‥雄螺子
２４‥‥筒状部凸条
２５‥‥フランジ
ａ‥‥ハーフカット線
ｂ‥‥ハーフカット線
【図１】
2006001555.tif 000003
【図２】
2006001555.tif 000004
【図３】
2006001555.tif 000005
【図４】
2006001555.tif 000006